(57)【要約】【課題】ホーンの直接取付けが可能な３導体以上用ライン側ヨークを備えた耐張装置を提供する。【解決手段】  ３導体以上用ライン側固定ヨークを用いる耐張装置において、ライン側固定ヨークにホーン取付部を一体に設け、該ホーン取付部にホーンを直接取付けるようにした。【選択図】      図１
2006012852.tif 000002
【特許請求の範囲】
【請求項１】
３導体以上用ライン側固定ヨークを用いる耐張装置において、前記ライン側固定ヨークにホーン取付部を一体に設け、そのホーン取付部にホーンを直接取付けたことを特徴とする耐張装置。
【請求項２】
ライン側固定ヨークにジャンパ装置取付部をも一体に設け、そのジャンパ装置取付部にジャンパ装置を取付けたことを特徴とする請求項１に記載の耐張装置。
【請求項３】
ライン側固定ヨークの水平面にホーン取付部を設けたことを特徴とする請求項１に記載の耐張装置。
【請求項４】
ライン側固定ヨークの垂直面にホーン取付部を設けたことを特徴とする請求項１に記載の耐張装置。
【請求項５】
ライン側固定ヨークをホーン取付部から外部に向かった方向が開放された開放構造としたことを特徴とする請求項１，２，３又は４に記載の耐張装置。
【請求項６】
固定ヨークの導体連結金具取付孔を有する板材をガイシ連側と導体連結金具側の中間を通る垂直面に関して非対称形としたことを特徴とする請求項１に記載の耐張装置。
【発明の詳細な説明】
【技術分野】
【０００１】
本発明は、送電線鉄塔に送電線である導体を支持するための耐張装置に係り、特に導体数が３以上のライン側固定ヨークを有するものに関する。
【背景技術】
【０００２】
図１６及び図１７は、送電線鉄塔（以下、鉄塔という。）に４導体を支持する従来の２種類の耐張装置の一例を示す図である。図１６はライン側ヨークが固定ヨークである場合のものであり、（ａ）は平面図、（ｂ）は正面図である。図１７はライン側ヨークが半固定ヨークである場合のものであり、（ａ）は平面図、（ｂ）は正面図である。固定ヨークとは、ガイシ連との結合点と導体連結金具との結合点の間の距離が一定不変のものをいう。半固定ヨークとは、ヨーク本体に２連ヨークが枢着された回動可能な構造により、ガイシ連との結合点と導体連結金具との結合点の間の距離が可変のものをいう。
【０００３】
図１６に示す従来の固定ヨークを用いる耐張装置Ａは、鉄塔１に接続されるアース側ヨーク２と、そのアース側ヨークに一端が結合されたガイシ連３と、そのガイシ連の他端に結合されたライン側固定ヨーク４Ａと、そのライン側固定ヨークに結合された導体連結金具５と、その導体連結金具に結合されたクランプ６とから構成されている。導体７は、クランプ６により一つの耐張装置Ａに支持される。その固定された導体７のクランプ６から鉄塔１の方向に延びる部分はジャンパ線８として、鉄塔１を迂回し、その鉄塔の別の位置に取り付けられている他の耐張装置のクランプに締着される。そして、耐張装置Ａのライン側固定ヨーク４Ａには、ガイシの電気的シールドの目的で使用されるホーン９と、ジャンパ装置が固定されるが、ホーンは固定ヨーク４Ａとは別体のガイシ連結金具１０に設けたホーン取付部１０ａにホーン９を取付けている。そして、ジャンパ装置は、固定ヨーク４Ａに設けたリンク１１を用いて取付けられる。
【０００４】
また、図１７に示す従来の耐張装置Ｂが用いる半固定ヨーク４Ｂは、ガイシ連のアース側ヨークと反対側のガイシ側に寄った位置で枢着されたヨーク本体４1 と、そのヨーク本体の両端部にそれぞれ枢着された２連ヨーク４2 ，４3 とで構成され、各２連ヨークの両端部に導体連結金具５がそれぞれ結合されている。このライン側半固定ヨーク４Ｂの場合は、ヨーク本体４1 にホーン９とジャンパ装置（図示せず）が固定されるが、ホーン９はヨーク本体４1 に一体に形成された取付部にボルトナット等の固着具を用いて取付けられ、ジャンパ装置は、ヨーク本体４1 に設けたリンク１１を用いて取付けられる。
【特許文献１】特になし。
【発明の開示】
【発明が解決しようとする課題】
【０００５】
上述のように、上記従来の固定ヨーク４Ａの場合は、固定ヨークとは別体のガイシ連結金具１０にホーン取付部１０ａを設けたものをヨークから延出するように取付けているから、ヨーク取付部を設けるための距離分だけ耐張装置の長さが大きくなるという問題があった。
【０００６】
また、上記従来の半固定ヨーク４Ｂの場合は、ホーン９をヨーク本体４1 に直接に取付けるので、ガイシ３と半固定ヨーク４Ｂの間のガイシ連結金具１０にホーン取付部を設ける必要がないため、耐張装置の長さを短くすることができる。しかし、ヨーク本体４1 と２連ヨーク４2 ，４3 が枢着され、導体連結金具５がその２連ヨークに結合されているため、耐張装置の連結工事において２連ヨークが回動し易いので、導体連結金具を２連ヨーク４2 ，４3 に連結する際は、左右のバランスに注意しながら行う必要があり、工事作業者に大きな負担となるという問題があった。
【０００７】
他方、導体数が３以上用の従来のライン側固定ヨークは、導体連結金具との結合点が３次元的に配置されるので、ヨークの形状構造は張力に十分に耐え得るものである必要がある。さらに、耐張装置の全長をできるだけ小さくする要請に応えるため、コンパクトに作られる傾向にある。
【０００８】
図１８は、図１６の耐張装置で用いられている４導体用ライン側固定ヨーク４Ａの展開図であり、（ａ）は正面図、（ｂ）は平面図、（ｃ）は側面図である。図１８に示す例は、所要の強度及び堅固さを備えるため、複数枚（図１８の例では５枚）の金属板４ａ〜４ｅを交差・溶接して構成され、ホーン取付方向及びジャンパ装置取付方向には開放されていない閉鎖構造である。図１８の４１はガイシ連結合孔、４２は導体連結金具結合孔であり、４３はジャンパ装置取付孔である。
【０００９】
このように、従来の３導体以上のライン側固定ヨークは、コンパクトでしかも所要の強度を備える目的で複数枚の金属板を交差溶接してなるため、図１６及び図１８に４導体用ライン側固定ヨーク４Ａの例を示すように、開放面の少ない箱状に形成されている。従って、従来の３導体以上用ライン側固定ヨークには、ホーン取付部設置スペース及びホーン取付作業スペースの確保が困難であるため、ホーン取付部とジャンパ装置取付部が一体に設けられたものは使用されていない。
【００１０】
本発明は、上記の点に鑑みてなされたものであり、解決しようとする課題は、ホーン取付構造を改良することにより、耐張装置の長さを短くすることができ、なおかつ、耐張装置の連結工事において工事作業者に大きな負担を与えない３導体以上用ライン側固定ヨークを備えた耐張装置を提供することにある。
また、そのようなホーン取付構造の改良が容易にできる３導体以上用ライン側固定ヨークの形状構造を提供することにある。
【課題を解決するための手段】
【００１１】
上記課題を解決するため、本発明は、３導体以上用ライン側固定ヨークを備えた耐張装置において、そのヨークにホーン取付部を一体に設けたことを特徴としている（請求項１）。
上記構成により、固定ヨークにホーンを取り付ける際は、そのホーンをヨークのホーン取付部に直接取り付けることができる。従って、このライン側固定ヨークには、別体のガイシ連結金具にホーン取付部を設けることが不要となるから、耐張装置の長さが短くなる。
【００１２】
上記３導体以上用ライン側固定ヨークには、ホーン取付部のほか、ジャンパ装置取付部をも一体に設けることが望ましい（請求項２）。
このような構成により、ライン側固定ヨークに対するホーン取り付けとジャンパ装置取り付けを、別体の金具を用いないで、ヨークに対する直接取り付けという同様な作業要領で行うことができる。従って、作業ミスが防止される。
【００１３】
本発明は、上記のように、３導体以上用ライン側固定ヨークにホーン取付部を一体に設けて、ホーンを直接に取り付けるようにしたものであるが、このような取り付けを容易にできるようにするため、ライン側固定ヨークの水平面にホーン取付部を一体に設け、あるいは、ライン側固定ヨークの垂直面にホーン取付部を一体に設けることが望ましい（請求項３又は４）。
上記の構成により、ホーンの３次元曲げ構造に自由度が増し、ライン側固定ヨークに対する取付け方向を選択することができ、水平面又は垂直面にホーンを直接にかつ容易に取り付けることができる。
【００１４】
そして、本発明の上記目的の実現のためには、ライン側固定ヨークをホーン取付部から外部に向かった方向が開放された開放構造とすることが望ましい（請求項５）。
このような構成により、固定ヨークに対するホーンの直接取付を行う際は、その取付部近辺に障害物が存在しないので、直接取付及び取付作業を一層容易に行うことができる。
【００１５】
さらに、固定ヨークは、導体連結金具取付孔を有する板材をガイシ連側と導体連結金具側の中間を通る垂直面に関して非対称形とすることが望ましい（請求項６）。
このようにした場合は、導体連結金具取付孔を有する板材の間又はその外側にホーン取付部の設置スペースを設けることが容易になる。
【発明の効果】
【００１６】
請求項１の発明によれば、固定ヨークにホーンを取り付ける際は、そのホーンをヨークのホーン取付部に直接取り付けることができるから、ライン側固定ヨークには、別体のホーン取付スペースを有する金具の取り付けが不要となり、従来のライン側固定ヨークを用いるものと異なり、耐張装置の長さをホーン取付スペース分だけ短くすることができる。また、従来の半固定ヨークを用いるものと異なり、ヨークが回動することはないので、連結工事などの鉄塔上作業を安全に行うことができる。
【００１７】
請求項２の発明によれば、耐張装置の長さが短い状態で固定ヨークに一体に設けられたジャンパ装置取付部に対してジャンパ装置の連結作業ができるので、作業の安定性が増す効果がある。
【００１８】
請求項３の発明によれば、ライン側固定ヨークの水平面にホーン取付部を一体に設けてあるので、ホーンの３次元曲げ構造に自由度が増し、ライン側固定ヨークの水平面にホーンを直接にかつ容易に取り付けることができる。
【００１９】
請求項４の発明によれば、ライン側固定ヨークの垂直面にホーン取付部を一体に設けてあるので、ホーンの３次元曲げ構造に自由度が増し、ライン側固定ヨークの垂直面にホーンを直接にかつ容易に取り付けることができる。
【００２０】
請求項５の発明によれば、ライン側固定ヨークをホーン取付部から外部に向かった方向が開放された開放構造としてあるので、固定ヨークに対するホーンの直接取付を行う際は、その取付部近辺に障害物が存在しないため、直接取付及び取付位置調整を容易に行うことができる。
【００２１】
請求項６の発明によれば、固定ヨークにホーン取付部の設置スペースを確保することが容易である。
【発明を実施するための最良の形態】
【００２２】
次に、本発明の実施の形態について図１ないし図１５の図面を参照しながら説明する。  図１は本発明に係る耐張装置の一例を示す図であり、（ａ）は平面図、（ｂ）は正面図である。図２は同装置において用いられているライン側固定ヨークの一例の展開図であり、（ａ）は平面図、（ｂ）は正面図、（ｃ）は側面図である。
【００２３】
図１において、４Ｎは本発明により改良された４導体用ライン側固定ヨークである。この固定ヨーク４Ｎは、図２（ｃ）に示すように、高さ方向（図２（ｃ）において紙面上下方向）中間位置にある水平板４ｆと、その幅方向中央から高さ方向上側にほぼＶ字形に延び、かつ、先端が互いに反対方向に水平に延びるＶ字板４ｇと、水平板４ｆの幅方向中央から高さ方向下側に逆Ｔ字形に延びるＴ字板４ｈとを一体に有して、それぞれの板の間が外部に向かって開放された開放構造を有している。そして、水平板４ｆの両端部（図２（ｃ）において左右両端部）にガイシ取付孔４１が設けてあり、Ｖ字板４ｇの両端部（図２（ｃ）においては左右両端部）とＴ字板４ｈの下辺の両端部（図２（ｃ）において左右両端部）には導体連結金具取付孔４２が設けてある。導体支持の安定性を高めるため、Ｖ字板４ｇの両端部間距離と、Ｔ字板４ｈの下辺の両端部間距離はほぼ等しくされている。
【００２４】
ライン側固定ヨーク４Ｎには、上記の構成に加えて、図２（ｂ）に良く示されているように、水平板４ｆの幅（図２（ｂ）において左右方向の幅）が拡幅されて、その拡幅された部分にホーン取付部４５が一体に形成されている。ホーン取付部４５は、ホーン９を固着するボルトを貫通するための複数個の孔を有する。さらに、ホーン取付方向と干渉しない位置、例えば、Ｔ字板４ｈの側面に、ジャンパ装置取付部４６が一体に形成されている。ジャンパ装置取付部４６の形状は特に制限されないが、図示の例では、中央に孔が開けられた突起からなっている。
【００２５】
図２（ｃ）に示すように、ライン側固定ヨーク４Ｎは、各板４ｆ，４ｇ，４ｈの間が外部に向かって開放された構造を有するので、ホーン９の端部を直接取り付けるためのホーン取付部４５を一体に設けることが可能となった。また、開放された部分にジャンパ装置取付部４６を設けることが可能になった。水平板４ｆのライン側端部をライン側方向（図２（ｂ）において左方向）に拡幅すれば、その拡幅された部分にホーン取付部４５を一体に設けることが一層容易になる。
【００２６】
図１には、ライン側固定ヨーク４Ｎのガイシ取付孔４１に２連のガイシ連３のライン側端部が結合され、４個の導体連結金具取付孔４２に４個の導体連結金具５が結合されている状態が示され、また、ホーン取付部４５にホーン９が直接に結合されている状態が示されている。このホーン９は、図２（ｃ）に一部を示すように、ホーン９の一端に接合されている固定板９´とボルトナット１２によりホーン取付部４５に固着されている。。
【００２７】
ホーンの固定ヨークに対する取付け態様は、固定ヨークの形状とホーン取付部４５の形成位置により、ホーンの端部を固定ヨークの水平面に取り付ける水平取付と、ホーンの端部を固定ヨークの垂直面に取り付ける垂直取付のいずれにも可能である。
【００２８】
図３以下の図面に基づいて、各種の形状の固定ヨークにホーンの水平取付と垂直取付を行う場合の例について説明する。奇数番号の図面は水平取付の例を、偶数番号の図面は垂直取付の例を示す。各図の（ｃ）において、紙面の上下方向に延びる壁面に対する取り付けが水平取付であり、同じく左右方向に延びる壁面に対する取り付けが垂直取付である。各図において、（ａ）は固定ヨークの使用状態の正面図、（ｂ）は同じく平面図、（ｃ）は固定ヨークのみの側面図である。また、各図において、４０１〜４０５は固定ヨーク、３はガイシ連，３０１はそのガイシ連結金具、５０１は導体連結金具の一部である。
【００２９】
図３は、図１及び図２に示された水平板４ｆとＶ字板４ｇとＴ字板４ｈとを有する、側面形状がほぼ天字形の固定ヨーク４Ｎの場合と同様に、水平板の両端部にホーン取付部４５を一体に設け、そのホーン取付部にホーン９を水平板の下面から延出するように結合したものである。図４は、図３のものと同じ形状の固定ヨークのＴ字板の縦辺に設けたホーン取付部４５にホーン９を結合したものである。
【００３０】
図５は、側面形状が断面ほぼ王字形又は主字形に形成された固定ヨーク４０２の下部水平板に一体に設けたホーン取付部４５にホーン９を取り付けた例である。図６は、同じ固定ヨーク４０２の垂直板に設けたヨーク取付部４５にホーン９を直接に取り付けた例である。
【００３１】
図７は、側面形状が断面ほぼ工字形又は串字形に形成された固定ヨーク４０３の水平板に一体に設けたホーン取付部４５にホーン９を取り付けた例である。図８は、同じ固定ヨーク４０３の垂直板に設けたヨーク取付部４５にホーン９を直接に取り付けた例である。
【００３２】
図９は、側面形状がほぼ矩形の固定ヨーク４０４の下部の水平部分に一体に設けたホーン取付部４５にホーン９を取り付けた例である。図１０は、同じ固定ヨーク４０４の垂直部分に設けたヨーク取付部４５にホーン９を直接に取り付けた例である。
【００３３】
図１１は、側面形状がほぼＨ字形の固定ヨーク４０５の水平部に一体に設けたホーン取付部４５にホーン９を取り付けた例である。図１２は、同じ固定ヨーク４０５の垂直部に設けたヨーク取付部４５にホーン９を直接に取り付けた例である。
【００３４】
ライン側固定ヨークにホーン取付部を設けるために拡幅するには、図１３〜１５に示すように、ヨークの導体連結金具取付孔を有する板材をガイシ連側と導体連結金具側の中間を通る垂直面ＶＰに関して非対称形とすることが望ましい。こうすることにより、ホーン取付部の設置スペースの確保が容易になる。以下に、詳述する。
【００３５】
図１３に示したライン側固定ヨーク４０６は、導体連結金具取付孔１３３を有する２枚の傾斜板１３４をガイシ取付孔１３１を有する水平板１３２の上下（図１３（ａ）において紙面に垂直な方向）に延出し、かつ、傾斜板１３４の導体連結金具取付孔１３３間距離Ｌ１よりも傾斜板１３４のガイシ連側端部間距離Ｌ２が小さくなるように逆ハ字形に斜めに接合することにより、水平板１３２のガイシ取付孔１３１と傾斜板１３４の間を広くして、その間にホーン取付スペースを確保し、そこにホーン取付部４５を設けた例である。
【００３６】
図１４（ａ）に示したライン側固定ヨーク４０７Ａは、基本形状が図１３のものと同じである場合に、傾斜板１３４の導体連結金具取付孔１３３間の距離Ｌ１は図１３のＬ１と同じで、傾斜板１３４のガイシ連側端部間距離Ｌ２´を図１３のものＬ２よりも若干大きくし、左右（図１４（ａ）において紙面の上下）の傾斜板１３４の間を広くして、その間にホーン取付スペースを確保し、そこにホーン取付部４５を設けた例である。
図１４（ｂ）に示したライン側固定ヨーク４０７Ｂは、基本形状が図１３のものと同じである場合に、導体連結金具取付孔１３３間の距離Ｌ１は図１３の距離Ｌ１と同じで、傾斜板１３４のガイシ連側端部間距離Ｌ３をＬ１よりも大きくなるようにハ字形に斜めに接合することにより、傾斜板１３４をガイシ連側を広くして、その間にホーン取付スペースを確保し、そこにホーン取付部４５を設けた例である。
【００３７】
図１５（ａ）（ｂ）に示されたライン側固定ヨーク４０８は、導体連結金具取付孔１５３を有する屈曲板１５４をガイシ取付孔１５１を有する水平板１５２の上下（同図において紙面に対して垂直方向）に、断面鼎字形又は逆鼎字形に延出するように形成して、間隔の大きい部分の間にホーン取付部４５を設けた例である。
【００３８】
以上の実施の形態は、本発明を４導体用ライン側固定ヨークに適用した場合のものであるが、本発明は、３導体以上のライン側固定ヨークにも基本的に同様に適用可能である。
【００３９】
上述のように、水平取付は、従来のホーン取付と同様であるが、ヨークを開放構造としたことにより、ホーンの３次元曲げ構造に自由度が増し、製作性が向上する。また、垂直取付けにおいては、水平取付と同様にホーン形状に自由度が増すとともに、ヨーク形状にも左右されるが、取付け（固着）のためのボルトの数を半分にすることができ、作業性・製作性・コストの面に利点がある。
【００４０】
さらに、ヨークが開放構造となることにより、ホーン取付けスペースが広がるため、ホーン取付け時の座標位置調整が容易になる。例えば、水平取付けの場合及び垂直取付けの場合、ホーン側の取付け孔を長孔や扇状に配置することにより、ホーン取付け後の座標調整ができる。従って、ホーン設置後に電線の張力条件によって両ホーン間の間隔調整が必要になった場合は、従来は別の金具を用いて調整をする必要があり、時間がかかったが、本発明によれば、ホーン取付け後の座標調整により施工中のホーン間隔調整が可能になった。
【図面の簡単な説明】
【００４１】
【図１】本発明に係るライン側固定ヨークを用いている耐張装置の一例を示す図であり、（ａ）は平面図、（ｂ）は正面図。
【図２】図１のライン側固定ヨークの展開図であり、（ａ）は正面図、（ｂ）は平面図、（ｃ）は側面図。
【図３】図２に示された固定ヨークを用いる場合のホーンの水平取付の例を示す図であり、（ａ）（ｂ）（ｃ）は正面図、平面図、側面図。
【図４】図２に示された固定ヨークを用いる場合のホーンの垂直取付の例を示す図であり、（ａ）（ｂ）（ｃ）は正面図、平面図、側面図。
【図５】固定ヨークの別の形状の場合のホーン水平取付の例を示す図であり、（ａ）（ｂ）（ｃ）は正面図、平面図、側面図。
【図６】同固定ヨークの場合のホーン垂直取付の例を示す図であり、（ａ）（ｂ）（ｃ）は正面図、平面図、側面図。
【図７】固定ヨークのさらに別の形状の場合のホーン水平取付の例を示す図であり、（ａ）（ｂ）（ｃ）は正面図、平面図、側面図。
【図８】同固定ヨークの場合のホーン垂直取付の例を示す図であり、（ａ）（ｂ）（ｃ）は正面図、平面図、側面図。
【図９】固定ヨークのさらに別の形状の場合のホーン水平取付の例を示す図であり、（ａ）（ｂ）（ｃ）は正面図、平面図、側面図。
【図１０】同固定ヨークの場合のホーン垂直取付の例を示す図であり、（ａ）（ｂ）（ｃ）は正面図、平面図、側面図。
【図１１】固定ヨークのさらに別の形状の場合のホーン水平取付の例を示す図であり、（ａ）（ｂ）（ｃ）は正面図、平面図、側面図。
【図１２】同固定ヨークの場合のホーン垂直取付の例を示す図であり、（ａ）（ｂ）（ｃ）は正面図、平面図、側面図。
【図１３】固定ヨークを非対称形に形成して、ホーン取付部の形成を容易にした例を示す展開図。
【図１４】図１３の固定ヨークの変形例を示す平面図。
【図１５】固定ヨークを非対称形に形成した別の例を示す平面図。
【図１６】従来の固定ヨークを用いている耐張装置の一例を示す図。
【図１７】従来の半固定ヨークを用いている耐張装置の一例を示す図。
【図１８】従来の４導体用ライン側固定ヨークの展開図であり、（ａ）は正面図、（ｂ）は平面図、（ｃ）は側面図。
【符号の説明】
【００４２】
ＮＡ    耐張装置
２      アース側ヨーク
３      ガイシ連
４Ｎ    ライン側ヨーク（４導体用ライン側固定ヨーク）
４１    ガイシ取付孔
４２    導体連結金具取付孔
４５    ホーン取付部
４６    ジャンパ装置取付部
５      導体連結金具
９      ホーン
４０１〜４０８  ライン側固定ヨーク
【図１】
2006012852.tif 000003
【図２】
2006012852.tif 000004
【図３】
2006012852.tif 000005
【図４】
2006012852.tif 000006
【図５】
2006012852.tif 000007
【図６】
2006012852.tif 000008
【図７】
2006012852.tif 000009
【図８】
2006012852.tif 000010
【図９】
2006012852.tif 000011
【図１０】
2006012852.tif 000012
【図１１】
2006012852.tif 000013
【図１２】
2006012852.tif 000014
【図１３】
2006012852.tif 000015
【図１４】
2006012852.tif 000016
【図１５】
2006012852.tif 000017
【図１６】
2006012852.tif 000018
【図１７】
2006012852.tif 000019
【図１８】
2006012852.tif 000020
【手続補正書】
【提出日】平成17年11月10日(2005.11.10)
【手続補正１】
【補正対象書類名】特許請求の範囲
【補正対象項目名】請求項１
【補正方法】変更
【補正の内容】
【請求項１】
３導体以上の導体連結金具を直接取付られるライン側固定ヨークを用いる耐張装置において、前記ライン側固定ヨークにホーン取付部を一体に設け、そのホーン取付部にホーンを直接取付けたことを特徴とする耐張装置。
【手続補正２】
【補正対象書類名】明細書
【補正対象項目名】０００５
【補正方法】変更
【補正の内容】
【０００５】
上述のように、上記従来の固定ヨーク４Ａの場合は、固定ヨークとは別体のガイシ連結金具１０にホーン取付部１０ａを設けたものをヨークから延出するように取付けているから、ホーン取付部を設けるための距離分だけ耐張装置の長さが長くなるという問題があった。